(57)【特許請求の範囲】
【請求項１】
可撓性の導波路基板と、重合部とを有する変形可能な導波路であって、前記重合部が、前記可撓性の導波路基板内に埋め込まれ、前記重合部は、前記重合部が、重合されたら前記変形可能な導波路を通る堅いリブを形成することを可能にするモノマを含み、前記堅いリブが、前記変形可能な導波路の残りの部分を支持するよう構成される変形可能な導波路。
【請求項２】
前記モノマが、周囲温度より低いガラス転移温度を持つ請求項１に記載の変形可能な導波路。
【請求項３】
前記モノマが、光にさらされる場合に、結果として生じる前記堅いリブが周囲温度より高いガラス転移温度を持つように、重合するよう構成される請求項１乃至２のいずれか一項に記載の変形可能な導波路。
【請求項４】
１つ以上のＬＥＤ及び／又は光電池が、前記可撓性の導波路基板内に埋め込まれる又は封入される請求項１乃至３のいずれか一項に記載の変形可能な導波路。 
【請求項５】
前記ＬＥＤのうちの少なくとも１つが、青色、紫色及び／又は紫外線ＬＥＤであり、前記ＬＥＤが、前記堅いリブを形成するよう前記モノマを重合させるよう構成される請求項４に記載の変形可能な導波路。 
【請求項６】
前記重合部が、前記モノマの重合を開始する開始剤を含む請求項１乃至５のいずれか一項に記載の変形可能な導波路。 
【発明の詳細な説明】
【技術分野】
【０００１】
本発明は、導波路、及び前記導波路を組み込む照明器具に関する。
【背景技術】
【０００２】
ＬＥＤによって発される光は、多くの場合、発光面への経路に沿って光を伝達し、分散させる薄い光導波路内へ結合される。１つ以上のＬＥＤが、照明器具を形成するために、光導波路に埋め込まれてもよく、又は光導波路から分離しているが、ＬＥＤから発される光が光導波路内へ結合されるように配置されてもよい。 
【０００３】
様々な照明効果及び美観照明設計をもたらすために柱又は家具などの物体のまわりに固定され得る様々な形状の光導波路を供給することは望ましい。それ故、ポリメタクリル酸メチル（ＰＭＭＡ）などの透明な熱可塑性物質を用いることが一般的である。この材料は、この材料を所望の形状に成形することによって導波路の形状を変えることを可能にするそのガラス転移温度を超えて加熱される。一般に、この材料は、加熱された型の上で成形され、次いで、冷却し、必要とされる形状に固まらせることが可能になる。しかしながら、これは、難しく、時間のかかるプロセスである。
【発明の概要】
【発明が解決しようとする課題】
【０００４】
本発明は、より容易に所望の形状に成形され得る導波路を提供することを目指す。
【課題を解決するための手段】
【０００５】
本発明によれば、モノマを含む基板であって、前記基板を所望の形状に固定する前記モノマの重合の前に周囲温度で前記基板を前記所望の形状に変形させることを可能にするモノマを含む基板を有する導波路が提供される。 
【０００６】
前記モノマは、ユーザが前記基板を容易に変形させることを可能にするよう、周囲温度より低いガラス転移温度を持ち得る。
【０００７】
或る実施例においては、前記基板全体が重合され、その形状が固定するように、前記モノマが、前記基板全体の中に封入される又は埋め込まれる。 
【０００８】
別の実施例においては、前記モノマが、前記基板の一部の中に封入され、又は埋め込まれ、故に、その一部だけが重合され、前記基板の形状を固定する。 
【０００９】
別の実施例においては、前記基板の残りの部分が、変形に応じて、ひびであって、前記モノマが重合の前に前記ひびに流れ出るだろうようなひびが入るポリマから形成される。これは、前記重合プロセスを活性化させるための簡単且つ効果的な手段を供給する。 
【００１０】
他の例においては、前記モノマは、前記基板の変形に応じて壊れるマイクロカプセル及び／又は中空管内に収容され得る。 
【００１１】
前記モノマは、光にさらされる場合に、結果として生じる重合した前記基板が周囲温度より高いガラス転移温度を持つように、重合するよう構成され得る。これは、前記導波路を光にさらしておくという、前記基板を重合させるための簡単且つ効果的な手段を供給する。
【００１２】
１つ以上のＬＥＤ及び／又は光電池が、前記基板内に埋め込まれ得る又は封入され得る。 
【００１３】
好ましくは、前記ＬＥＤのうちの少なくとも１つが、青色、紫色及び／又は紫外線ＬＥＤである。前記ＬＥＤは、前記基板の形状を固定するよう前記モノマを重合させるよう構成される。 
【００１４】
別の実施例においては、前記基板は、前記モノマの重合を開始する開始剤を含む。 
【００１５】
他の例においては、前記基板は、前記基板が前記基板の形状を固定するよう変形される場合に、混ざり合い、重合する２つ以上のモノマを含む。    
【００１６】
前記導波路は、前記光の色を変える波長変換材料を有し得る。 
【００１７】
本発明によれば、モノマを含む基板を有する導波路を変形させる方法であって、
−  前記基板を周囲温度で所望の形状に変形させるステップと、
−  後に、前記基板を前記所望の形状に固定するよう前記モノマを重合させるステップとを含む方法も提供される。 
【００１８】
或る実施例においては、前記モノマを重合させるステップは、前記基板を紫外線光にさらすステップを含む。 
【００１９】
別の実施例においては、前記方法は、前記モノマの一部を、前記基板の一部を所望の形状に固定するよう、重合させた後に、前記モノマの別の部分を、前記基板のその部分を異なる形状に固定するよう、重合させるステップを含む。  
【００２０】
前記導波路は、前記基板に埋め込まれる青色、紫色及び／又は紫外線ＬＥＤを含んでもよく、前記方法は、前記モノマを重合させるために前記ＬＥＤを作動させるステップを含む。
ここで、ほんの一例として、好ましい実施例を、図面を参照して、説明する。
【図面の簡単な説明】
【００２１】
【図１ａ】本発明の第１実施例を示す。
【図１ｂ】本発明の第１実施例を示す。
【図１ｃ】本発明の第１実施例を示す。
【図２ａ】導波路の様々な実施例を示す。
【図２ｂ】導波路の様々な実施例を示す。
【図２ｃ】導波路の様々な実施例を示す。
【図２ｄ】導波路の様々な実施例を示す。
【図２ｅ】導波路の様々な実施例を示す。
【図３】導波路照明器具の実施例を示す。
【図４ａ】太陽集光器としての使用のために適応させられた導波路の実施例を示す。
【図４ｂ】太陽集光器としての使用のために適応させられた導波路の実施例を示す。
【図４ｃ】太陽集光器としての使用のために適応させられた導波路の実施例を示す。
【図５ａ】太陽集光器及び照明器具としての使用のために適応させられた導波路の実施例を示す。
【図５ｂ】太陽集光器及び照明器具としての使用のために適応させられた導波路の実施例を示す。
【図６ａ】実施例のいずれかのためのあり得る光源構成を示す。
【図６ｂ】実施例のいずれかのためのあり得る光源構成を示す。
【図６ｃ】実施例のいずれかのためのあり得る光源構成を示す。
【図７ａ】本発明の最後の実施例を示す。
【図７ｂ】本発明の最後の実施例を示す。
【発明を実施するための形態】
【００２２】
導波路照明器具は、一般に、基板と、導波路基板の或る端部に配置される光源とを有する。光は、基板に沿って伝達され、全内部反射によってボディを出るのを防止される。全内部反射は、異なる屈折率を持つ材料間の境界における光の入射角が臨界角より大きい場合に生じる。臨界角は、材料の屈折率によって決定される。導波路は、光を導波路から漏れさせる、光の全内部反射を妨げるプリズム又は荒仕上げ（例えば、表面上のへこみ又はドット）などの構造を含み得る発光面を含み得る。 
【００２３】
照明器具から均一且つ十分な光強度が発せられることを確実にするために、複数の光源が、導波路に沿って間隔をおいて配置され得る。これは、可撓性の照明器具を考慮する場合にとりわけ重要である。なぜなら、それらは、任意の形状に成形され、光が、雰囲気へ放射される前に導波路基板に沿って長い距離は伝達されないだろうように、内部反射の効率を落とし得るからである。 
【００２４】
モノマは、構造内の分子がしっかりと接続されていないことから、本質的に、柔らかく、可撓性である。ポリマの分子は、鎖状に結合され、故に、ポリマは、モノマより堅く、ポリマの形状を保つ。オリゴマは、一般に、モノマ材料がちりばめられている弱いポリマ構造を持つ。モノマ及びオリゴマは、重合のプロセスを介して分子を鎖状に結合させることによって、堅いポリマに変えられ得る。ポリマ材料で作成されることは、導波路によくある。
【００２５】
重合を活性化する方法は幾つかあり、最も一般的な方法は、加熱、電磁放射及び触媒又は開始化学物質(initiator chemical)の導入である。モノマの加熱は、分子をポリマの鎖状に結合させる。重合をもたらす電磁放射の最も一般的な形態は、青色光、紫色光又は紫外線光（ＵＶ光）である。これは、ＵＶランプ又は日光から生じることができ、この場合も先と同様に、分子にポリマの鎖を形成させる。触媒又は開始化学物質は、モノマ内に、分子を重合させる反応をもたらすために用いられ得る。触媒は、第２のタイプのモノマであってもよく、故に、２つの異なるタイプのモノマを化合させることが、ポリマ構造を作成する反応をもたらす。 
【００２６】
図１ａは、導波路２と、光源３、この場合には発光ダイオード（ＬＥＤ）とを有する照明器具１の第１実施例を示している。導波路２は、モノマ基板で作成され、ＬＥＤ３は、そのモノマ基板内に埋め込まれる。ＬＥＤに電力を供給する接続ワイヤは、示されていない。モノマは、室温において、そのガラス転移温度を超えており、故に、可撓性であり、自由に成形されることができ、又は図１ｂに示されているように、物体４のまわりで、若しくは型の上で成形されることができる。
【００２７】
図１ｂは、型４の上で成形されている図１ａの照明器具１を示している。導波路２のモノマ基板は、所望の形状に変形しており、照明器具１の方へ電磁放射５を向けることによって、重合が活性化される。この実施例において、放射線５の最も利用可能な形態は、日光からのＵＶ光である。照明器具１は、必要とされる形状に成形され、重合が完了し、導波路２が堅くなるまで直射日光内に放置され得る。 
【００２８】
モノマ基板が重合されたら、新しい、堅い照明器具１は、図１ｃに示されているように型４から取り外されることができる。ＬＥＤ３は、外部電源から電力を供給されることができ、ポリマ導波路２は、照明器具の役割を果たすだろう。より良好な光分布を与え、より高い光強度を発するために、多数のＬＥＤが導波路２内に配置されてもよい。 
【００２９】
重合は、必ずしも、導波路２の基板全体において行われる必要はなく、基板の一部しか重合させず、残りの部分を可撓性のままにすることは可能である。図２ａは、可撓性の導波路基板６と、図２ａの第２の図に示されているような、重合されたら導波路２を通る堅いリブを形成するだろう重合部７とを有する導波路２を示している。重合部７は、可撓性の基板６内に埋め込まれ、最初は、可能性のモノマである。これらの２つの部分は、異なるモノマ、即ち、一方は、ＵＶ光の下で重合が可能であるモノマと、他方は、重合しないだろうモノマとで作成される。重合部７のサイズは、導波路２の残りの部分を支持するのに十分に堅く、汎用性があり、照明器具の寿命に対して十分な耐久性があるよう、選ばれなければならない。重合部７は、可撓性の基板６内に完全に埋め込まれてもよく、又は可撓性の基板６の縁端部若しくは側部に埋め込まれてもよい。 
【００３０】
図２ｂは、図２ａを参照して説明したものと非常に似ている導波路２を示している。図２ｂに示されている導波路は、可撓性の基板６を支持する２つの重合部７を有する。２つの重合部７を用いることは、重合される導波路２に更なる強さ及び堅さを与え、異なる形状の導波路を成形することを可能にする。
【００３１】
図２ｃは、可撓性の基板６内の重合部７の別の代替構成を示している。導波路２は、間にスペースをあけて配設される複数の重合部７を有し、故に、導波路２は、これらのスペースに沿って折り曲げられることができる。可撓性の基板６の、重合可能ではない部分は、導波路２が特定の形状になるよう折り曲げられ得るような曲げ部の役割を果たし得る。例えば、図２ｃは、正方形の管になるよう折り曲げられている導波路２を示している。 
【００３２】
図２ｄは、複数の重合部７を備える導波路２の別の例を示している。この場合には、導波路は、スタックにおいて互いに隣接して配置される２つの重合部７を有する。これは、導波路２に、追加の機械的剛性を与えるだろう。
【００３３】
図２ｅは、３次元重合部７を有する導波路２の更に別の実施例を示している。これは、導波路２に更なる堅さを与え、異なる形状の導波路を成形することを可能にし得る。
【００３４】
好ましくは、モノマ基板６及び重合部７は、同じ屈折率を持つ。この方法においては、重合部７は、重合部７を通過する光の方向を変えず、故に、全内部反射プロセスを阻害しない。
【００３５】
図３は、ＵＶ光への暴露によって活性化される、図２の実施例のものと似ている、重合部７を有する導波路照明器具１の第３実施例を示している。照明器具１は、可撓性の基板６に埋め込まれるＬＥＤ３を更に有し、これらのＬＥＤの少なくとも幾つかは、青色光又は紫色光又はＵＶ光を発するよう構成される。基板６は、最初の使用時まで可撓性であり、最初の使用時点に、ＬＥＤ３からの青色光又は紫色光又はＵＶ光が、モノマ重合部７を重合させ、照明器具１の形状を固定するだろう。おそらく必要とされるだろう、白色光（又はほとんど白色の光）を発する照明器具の場合は、光波長変換層８が含まれ得る。この層、領域又はパターン８は、第１波長の光を第２波長の光に変換するのに適している波長変換材料を有する。この方法において、それは、光が基板６を出る前に光の特性を変える。例えば、モノマ部分を重合させるために必要とされる、青色ＬＥＤから発せられる青色光は、部分的に、黄色又は赤色光に変換され、それによって、白色光を得ることができる。 
【００３６】
波長変換材料又はルミネセンス材料は、無機蛍光体、量子ドット及び有機蛍光体を含み得る。
【００３７】
波長変換材料としての使用に適した有機材料の例は、例えば、BASF社によってLumogen（登録商標）というブランド名で販売されている、ペリレン誘導体をベースにしたルミネセンス材料を含む。従って、適切な市販製品の例は、Lumogen（登録商標） Red F305、Lumogen（登録商標） Orange F240、Lumogen（登録商標） Yellow F170、Lumogen（登録商標） Yellow F083、及びそれらの組み合わせを含むが、これらに限定されない。
【００３８】
波長変換材料に適した無機蛍光体の例は、セリウムをドープしたイットリウムアルミニウムガーネット（YAG:Ce又はCeをドープしたYAGとも呼ばれるY3Al5O12:Ce3+）又はルテチウムアルミニウムガーネット（LuAG, Lu3Al5O12）、α-SiAlON:Eu2+（黄色）、及びM2Si5N8:Eu2+（赤色）、ここで、Mは、カルシウムCa、Sr及びBaから選択される少なくとも１つの元素である、を含むが、これらに限定されない。一般に青色光を発する光源との組み合わせにおいて、本発明の実施例において用いられ得る無機蛍光体の別の例は、YAG:Ceである。更に、アルミニウムの一部は、ガドリニウム(Gd)又はガリウム(Ga)と置換されてもよく、ここで、より多くのGdは、黄色発光の赤色シフトをもたらす。他の適切な材料は、赤色の範囲内の光を発するSr2Si5N8:Eu2+などの、(Sr1 x yBaxCay)2 zSi5 aAlaN8 aOa:Euz2+、ここで、0≦a＜5、0≦x≦1、0≦y≦1、0＜z≦1、且つ(x+y)≦1である、を含み得る。
【００３９】
量子ドットは、一般に、わずか数ナノメートルの幅又は直径を持つ半導体材料の小さな結晶である。量子ドットは、入射光によって励起される場合に、結晶のサイズ及び材料によって決定される色の光を発する。それ故、ドットのサイズを適応させることによって、特定の色の光が生成され得る。可視範囲内の発光を備える最も知られている量子ドットは、硫化カドミウム(CdS)及び硫化亜鉛（ZnS）などのシェルを備えるセレン化カドミウム(CdSe)をベースにするものである。リン化インジウム(InP)、並びに硫化銅インジウム(CuInS2)及び／又は硫化銀インジウム(AgInS2)などの、カドミウムを含まない量子ドットも用いられ得る。量子ドットは、非常に狭い発光帯を示し、従って、それらは、飽和色を示す。更に、発光色が、量子ドットのサイズを適応させることによって、容易に調整され得る。適切な波長変換特性を持つならば、当業界において既知の如何なるタイプの量子ドットも、本発明において用いられ得る。しかしながら、環境の安全性及び問題の理由で、カドミウムを含まない量子ドット、又は少なくとも、カドミウム含有量が非常に少ない量子ドットを用いることが、好ましいかもしれない。  
【００４０】
随意に、波長変換領域は、散乱素子、例えば、Al2O3又はTiO2の粒子を含み得る。
【００４１】
波長変換層８は、所望の色の光を得るのに適している波長変換材料を含み得る。色変換層の材料の選択が、発せられる光の色を決定するだろう。上記のような材料の層、パターン、構造又は粒子は、何らかの波長を吸収し、他の波長を発することによって、光を変える特性を持つ。同じ効果に対して、２つのタイプのＬＥＤ、即ち、ＵＶ重合光を発するＬＥＤである第１タイプと、白色光を発するＬＥＤである第２タイプとの組み合わせを用いることも可能である。
【００４２】
重合部７は、波長変換材料を含み得る。
【００４３】
図４ａは、導波路の別の実施例を示しており、この場合には、導波路２は、波長変換材料８を含む導波路基板６と、光を電気エネルギに変換するための光電池１９とを有する、太陽集光器に成形されている。導波路２は、モノマ基板６で作成され、光電池１９は、モノマ基板６と直接的な光学的接触をしており、光電池１９及びバッテリを接続する接続ワイヤは示されていない。モノマは、室温において、そのガラス転移温度を超えており、故に、可撓性であり、自由に成形されることができ、又は図４ｂに示されているように、物体４のまわりで、若しくは型の上で成形されることができる。
【００４４】
図４ｂは、型４の上で成形されている図４ａの太陽集光器を示している。導波路２のモノマ基板６は、所望の形状に変形しており、基板６の方へ電磁放射５を向けることによって、重合が活性化される。この実施例において、放射線５の最も利用可能な形態は、日光からのＵＶ光である。太陽集光器は、必要とされる形状に成形され、重合が完了し、導波路基板６が堅くなるまで直射日光内に放置され得る。 
【００４５】
モノマ基板６が重合されたら、新しい、堅い太陽集光器は、図４ｃに示されているように型４から取り外されることができる。光電池１９は、外部バッテリに接続されることができ、ポリマ導波路基板６は、太陽集光器の役割を果たすだろう。基板６内の波長変換材料８によって変換された光の捕獲を改善するために、導波路内に多数の光電池１９が配置されてもよい。 
【００４６】
図５ａ及び５ｂは、カスタマイズ可能な導波路のために異なる機能をもたらすよう、同時に用いられる２つ以上の導波路９、１０を備える別の実施例を示している。 
【００４７】
図５ａは、重合される前の２つの導波路９、１０を示している。第１導波路９は、可撓性の基板６及び重合部７を有し、波長変換層８及び日光から電気を生み出す光電池１９も有する。第２導波路１０は、可撓性の基板６及び重合部７を有し、ＬＥＤ１１などの少なくとも１つの光源も有する。
【００４８】
図５ｂは、導波路９、１０が、成形され、重合された後の導波路９、１０を示している。第１導波路９は、日光を集め、日光の一部を電気エネルギに変換するために、図４ａ、４ｂ及び４ｃを参照して説明したような太陽集光器に成形されている。波長変換材料８は、日光の一部を別の波長の光に変換する。導波路２は、変換した光を光電池１９に案内している。
【００４９】
第２導波路１０は、照明目的のための導波路に成形されている。光電池１９によって生成されたエネルギは、可撓性の基板６内に埋め込まれているＬＥＤ１１に電力を供給するために用いられ得る。 
【００５０】
図５ａ及び５ｂの実施例は、カスタマイズ可能な導波路は、例えば、光の捕獲及び加工などの、照明器具以外の用途にも適用され得ることを示している。 
【００５１】
図１乃至３に記載されている実施例は、照明器具１に光を供給するＬＥＤ３を有する。他の光源も利用可能であり、照明器具の発光面にわたって発される光の必要とされる強度をもたらすために、おそらく、複数の光源が必要とされるだろう。 
【００５２】
図６ａは、導波路基板２に埋め込まれ、導波路基板２全体にわたって分布している複数のＬＥＤ１２を有する導波路２を示している。複数のＬＥＤ１２は、照明器具からより高い強度の均一な発光を与えるだろう。
【００５３】
図６ｂは、導波路基板２に埋め込まれる複数のレーザ光源１３を示している。レーザは、幾つかの専門的なアプリケーション又は装飾用の照明器具のために利用可能であり得る特性を持つ。 
【００５４】
図６ｃは、導波路基板２内に埋め込まれる複数のＯＬＥＤ１４（有機発光ダイオード）を示している。これらは、一般に、より低い強度の光を発し、故に、導波路２のより大きな領域を覆う。 
【００５５】
他の光源も適切であり得るが、レーザ及びＯＬＥＤが、それらの寿命、効率及び可制御性のために、このアプリケーションに最も適している。 
【００５６】
ＬＥＤが重合プロセスを活性化する上記の実施例のいずれにおいても、ＬＥＤは、白色光を供給する直接蛍光体変換ＬＥＤであってもよく、それによって、白色光の一部が、波長範囲の青色、紫色及び／又は紫外線部分にある。他の例においては、赤色、緑色及び青色（ＲＧＢ）のＬＥＤの組み合わせが用いられてもよく、ここでは、青色のＬＥＤが、モノマの重合をもたらし、ＲＧＢのＬＥＤの組み合わせが、白色光をもたらす。
【００５７】
導波路の異なる面が、異なる機能を実施してもよい。例えば、指向性の光が必要とされる場合には、幾つかの面が、それらの面から光が発せられるのを防止するよう、処理されることができる、又は覆われることができる。他の例においては、所定の発光面が、導波路の面に付加される又は切り込まれるプリズムなどの光屈折手段を有してもよい。プリズムは、光と材料境界との間の入射角を変化させることによって全内部反射プロセスを阻害し、故に、面から発せられる光の量を増大させるだろう。 
【００５８】
光源は、電源に接続され、場合により、制御装置に接続される必要がある。相互接続ワイヤのいずれも、導波路から制御装置及び／又は電源へ突き出る外部ケーブルを備える導波路基板に埋め込まれ得る。
【００５９】
図１乃至５ｂを参照して説明した実施例は、電磁放射によって重合される。上記の照明器具での使用のための、重合を開始する他の手段もあり得る。これらは、図７ａ及び７ｂを参照して概説する。 
【００６０】
図７ａは、重合部７が、オリゴマなどの弱いポリママトリクス１７内に封入されたモノマ１５及び開始化学物質１６を有する本発明の実施例を示している。これの材料は、低いガラス転移温度を持ち、室温で可撓性であり、マトリクス１７は、材料が伸ばされる又は変形される場合に、損傷を与えられるだろう。それ故、モノマ１５及び開始化学物質１６は、このマトリクス１７内に封入されることができ、導波路基板２が変形される場合、ポリママトリクス１７が、損傷を与えられ、モノマ１５及び開始化学物質１６が、化合され、強いポリママトリクス１７を形成し、導波路２の形状を固定する。図７ｂは、重合後の堅いポリマ材料構造を示している。このプロセスは、導波路基板を物理的に変形させる以外の外部エネルギを必要としない。他の例においては、２つの異なるタイプの反応性モノマが、弱いポリママトリクス１７内に封入され、化合される場合にポリマ１８を形成し得る。他の例においては、モノマ及び／又は開始化学物質は、導波路基板内に埋め込まれ、導波路が変形される場合に壊れるマイクロカプセル内に封入されることができる、又は埋め込まれることができる。
【００６１】
モノマは、ラジカル重合、カチオン重合又はアニオン重合を用いて重合され得る。開始剤の例は、IRGACURE及び過酸化物を含むが、これらに限定されない。用いられ得るモノマの例は、アクリル酸塩、メタクリル酸塩、ビニルモノマ、エポキシ、チオレン系、ポリウレタン又はシリコーンなどのモノマを含むが、これらに限定されない。
【００６２】
重合の最も便利な方法は、光開始ラジカル重合である。この方法のため、アクリル酸塩、例えば、（Ciba Geigy社から市販されている）光開始剤IRGACURE  651を含有する エトキシ化ビスフェノールＡジアクリレートが用いられ得る。一般に、この組成物は、0.1乃至2%の開始剤を含有すべきである。このような材料は、369nmの波長を持つＵＶ放射の下で重合され得る。同様に、ビスフェノールＡエポキシ樹脂は、ビス（アルキル（Ｃ＝１０）フェニルヨードニウムヘキサフルオロホスフェートなどのカチオン光開始剤を具備し得る。この材料も、ＵＶ放射によって重合され得る。
【００６３】
ポリマを形成するよう化合し得る２つの反応性モノマの例は、ビスフェノールＡエポキシなどのエポキシ樹脂、及びナジックメチル無水物などの無水物である。これらの材料の化合は、重合反応を開始する。 
【００６４】
可撓性の照明器具が販売され、顧客、ユーザ又は設置者が、照明器具を必要とされる形状に成形し、その形状を固定するよう重合を活性化するだろうことが考えられる。 
【００６５】
製品が、ＵＶ光によって重合されるよう設計される場合には、製造プロセスは、重合プロセスが活性化されないように、黄色光条件下で行われる必要があるだろう。更に、製品は、運搬及び販売目的のためにホイルラップ及び箱などの遮光パッケージに包装される必要があるだろう。 
【００６６】
本願明細書で用いられている、２つの物体が「光学的接触をしている」とは、光路が、随意に、前記物体の各々の屈折率と同様の屈折率を持つ別の媒体を介して、或る物体から別の物体へ延在し得ることを意味する。「直接的な光学的接触」とは、前記光路が、空気などの中間媒体を通過する必要なく第１物体から第２物体へ延在することを意味する。
【００６７】
「有する」という用語は、他の要素又はステップを排除せず、単数形表記は、複数性を排除しないことは、理解されるだろう。単に、或る特定の手段が、互いに異なる従属請求項において列挙されているという事実は、これらの手段の組み合わせが有利には用いられることができないことを示すものではない。請求項における如何なる参照符号も、請求項の範囲を限定するものとして解釈されるべきではない。
【００６８】
この出願においては、請求項が、特徴の特定の組み合わせに対して作成されているが、本発明の開示の範囲は、明示的に又は暗黙的に本願明細書に開示されている如何なる新規な特徴又は如何なる新規な特徴の組み合わせ又はそれらの如何なる一般化も、それが現在いずれかの請求項に記載のものと同じ発明に関するか否かを問わず、それが本発明と同じ技術的問題のいずれか又は全てを緩和するか否かを問わず、含むことは、理解されるべきである。これによって、本願出願人は、本願又は本願から派生されるあらゆる他の出願の審査中に、このような特徴及び／又は特徴の組み合わせに対する新しい請求項が作成され得ることを通知する。
【００６９】
以下の請求項の範囲内にある他の修正例及び変形例は、当業者には明らかであるだろう。
【図１ａ】
0005727682.tif 000002
【図１ｂ】
0005727682.tif 000003
【図１ｃ】
0005727682.tif 000004
【図２ａ】
0005727682.tif 000005
【図２ｂ】
0005727682.tif 000006
【図２ｃ】
0005727682.tif 000007
【図２ｄ】
0005727682.tif 000008
【図２ｅ】
0005727682.tif 000009
【図３】
0005727682.tif 000010
【図４ａ】
0005727682.tif 000011
【図４ｂ】
0005727682.tif 000012
【図４ｃ】
0005727682.tif 000013
【図５ａ】
0005727682.tif 000014
【図５ｂ】
0005727682.tif 000015
【図６ａ】
0005727682.tif 000016
【図６ｂ】
0005727682.tif 000017
【図６ｃ】
0005727682.tif 000018
【図７ａ】
0005727682.tif 000019
【図７ｂ】
0005727682.tif 000020